(57)【要約】【課題】  天井と床面間に立設し、その間にパネル体と適所にドアとを装着する構造の簡易施工型の間仕切壁において、ドアの施工をパネル体の施工と同様に連続的に行うことができ、施工の効率化を図ることができるとともに、部品管理も簡単である間仕切壁におけるドア装置を提供する。【解決手段】  両側縦ドア枠２６の上端間に上ドア枠２７を連結して正面視倒コ字形のドア枠９を形成し、ドア枠の内部にドアパネル１０を配設するとともに、ドアパネルの一側部を対応する縦ドア枠にヒンジ２８にて取付けてドア８を形成し、更に両側縦ドア枠の下端間に下ドア枠１１を着脱可能に取付けて正面視四角形の枠体となし、その状態でドアの表裏何れかの面を選択して任意の両支柱１，１間に両側縦ドア枠をドア連結具２９，３０にて着脱可能に取付けた後、必要に応じて下ドア枠を取外してなる。【選択図】        図４
2005290878.tif 000002
【特許請求の範囲】
【請求項１】
所定間隔で立設した支柱間にパネル体及び適所にドアを装着してなる間仕切壁において、両側縦ドア枠の上端間に上ドア枠を連結して正面視倒コ字形のドア枠を形成し、該ドア枠の内部にドアパネルを配設するとともに、該ドアパネルの一側部を対応する前記縦ドア枠にヒンジにて取付けてドアを形成し、更に両側縦ドア枠の下端間に下ドア枠を着脱可能に取付けて正面視四角形の枠体となし、その状態で前記ドアの表裏何れかの面を選択して任意の両支柱間に両側縦ドア枠をドア連結具にて着脱可能に取付けた後、必要に応じて前記下ドア枠を取外してなることを特徴とする間仕切壁におけるドア装置。
【請求項２】
前記縦ドア枠は、前後一側縁にドアパネルを当止する鍔部を有するとともに、上下対称形となし、上下反転して前記上ドア枠及び下ドア枠に連結可能である請求項１記載の間仕切壁におけるドア装置。
【請求項３】
前記ドアパネルのノブを上下中央部に設け、前記縦ドア枠を上下反転しても常にドアパネルとの関係を同じに維持してなる請求項２記載の間仕切壁におけるドア装置。
【請求項４】
前記支柱は、外形が四角形である下部支柱の上部に上部支柱を伸縮可能に内嵌した構造であり、前記下部支柱は各外側面に沿った長手方向に２条の平行な連結溝を形成し、前記ドアの高さと略同じ高さで上端が開放されたものであり、前記ドア連結具は下ドア連結具と上ドア連結具とからなり、下ドア連結具は前記縦ドア枠の下端部に内嵌可能な本体部の両側縁に前記連結溝に上下スライド可能に抜止め係合する係合片を形成し、前記上ドア連結具は上ドア枠の端部に予め固定され、該上ドア連結具を介して前記縦ドア枠を連結した状態で該縦ドア枠から側方へ突出し、前記連結溝に上下スライド可能に抜止め係合する係合片を形成し、予め下部支柱の下端に装着した前記下ドア連結具の本体部に縦ドア枠の下端を外嵌すると同時に、前記上ドア連結具の係合片を下部支柱の上端から前記連結溝に係合して取付けてなる請求項１〜３何れかに記載の間仕切壁におけるドア装置。
【発明の詳細な説明】
【技術分野】
【０００１】
本発明は、間仕切壁におけるドア装置に係わり、更に詳しくは簡易施工型の間仕切壁において天井と床面間に立設した支柱間にパネル体及びドアを装着してなる間仕切壁におけるドア装置に関するものである。
【背景技術】
【０００２】
従来から天井に取付けた天レールと床面に敷設して地レールとの間に支柱を一定間隔毎に立設し、両支柱間にパネル体及び適所にドアを着脱可能に取付けて、順次側方へ連設する構造の間仕切壁は各種提供されている。ここで、地レールを省略して直接支柱の下端のアジャスターを床面に移動不能に支持するものも提供されている。
【０００３】
例えば、本出願人の先願に係る特許文献１には、建物の床面に固定した地レールと天井面に固定した断面下向き開口コ字状の天レールとの間に、当該天地レールの長手方向に沿って左右適宜間隔で多数の支柱を立設し、各支柱で区切られた多数のドア装着部のうち１か所又は複数箇所をドア部と成し、該ドア部に、ドアとその上方に位置したドア部用上パネルとを取付ける一方、前記ドア部を除いた各パネル装着部に、パネルを、それらパネルの両側面に形成した縦長凹所を支柱に被嵌することによって前後動不能に装着して成る間仕切において、前記ドア部の左右両側に位置した支柱にそれぞれ縦ドア枠を着脱自在に取付け、これら左右両縦ドア枠の上端間に、上向きの開口溝をその全長にわたって延びるように形成した水平状の上ドア枠をねじ止め等にて着脱自在に連結し、それから一方の縦ドア枠に蝶番でドアを取付けてなるドア付き間仕切が開示されている。
【０００４】
しかし、前述の特許文献１に記載のドアの施工には、ドア部となる空間を確保するために、その両側の支柱の間隔を正確に設定して立設し、また他のパネル体の施工時に該支柱の位置が全くずれないようにしなければならない。また、パネル体の施工とドアの施工とは全く異なる方法で行っているので、施工に連続性がなく、また両側の縦ドア枠、上ドア枠、ドアパネル、蝶番等の部品がバラバラになっており、現場での組立に手間がかかるとともに、その部品を保管、搬送、組立時に管理をする必要があり、施工の効率化のネックになっている。
【特許文献１】特許第２９４８４９８号公報（図１３図）
【発明の開示】
【発明が解決しようとする課題】
【０００５】
そこで、本発明が前述の状況に鑑み、解決しようとするところは、天井と床面間に立設し、その間にパネル体と適所にドアとを装着する構造の簡易施工型の間仕切壁において、ドアの施工をパネル体の施工と同様に連続的に行うことができ、施工の効率化を図ることができるとともに、部品管理も簡単である間仕切壁におけるドア装置を提供する点にある。
【課題を解決するための手段】
【０００６】
本発明は、前述の課題解決のために、所定間隔で立設した支柱間にパネル体及び適所にドアを装着してなる間仕切壁において、両側縦ドア枠の上端間に上ドア枠を連結して正面視倒コ字形のドア枠を形成し、該ドア枠の内部にドアパネルを配設するとともに、該ドアパネルの一側部を対応する前記縦ドア枠にヒンジにて取付けてドアを形成し、更に両側縦ドア枠の下端間に下ドア枠を着脱可能に取付けて正面視四角形の枠体となし、その状態で前記ドアの表裏何れかの面を選択して任意の両支柱間に両側縦ドア枠をドア連結具にて着脱可能に取付けた後、必要に応じて前記下ドア枠を取外してなる間仕切壁におけるドア装置を構成した（請求項１）。
【０００７】
また、前記縦ドア枠は、前後一側縁にドアパネルを当止する鍔部を有するとともに、上下対称形となし、上下反転して前記上ドア枠及び下ドア枠に連結可能であることが好ましい（請求項２）。
【０００８】
また、前記ドアパネルのノブを上下中央部に設け、前記縦ドア枠を上下反転しても常にドアパネルとの関係を同じに維持してなることも好ましい（請求項３）。
【０００９】
更に、前記支柱は、外形が四角形である下部支柱の上部に上部支柱を伸縮可能に内嵌した構造であり、前記下部支柱は各外側面に沿った長手方向に２条の平行な連結溝を形成し、前記ドアの高さと略同じ高さで上端が開放されたものであり、前記ドア連結具は下ドア連結具と上ドア連結具とからなり、下ドア連結具は前記縦ドア枠の下端部に内嵌可能な本体部の両側縁に前記連結溝に上下スライド可能に抜止め係合する係合片を形成し、前記上ドア連結具は上ドア枠の端部に予め固定され、該上ドア連結具を介して前記縦ドア枠を連結した状態で該縦ドア枠から側方へ突出し、前記連結溝に上下スライド可能に抜止め係合する係合片を形成し、予め下部支柱の下端に装着した前記下ドア連結具の本体部に縦ドア枠の下端を外嵌すると同時に、前記上ドア連結具の係合片を下部支柱の上端から前記連結溝に係合して取付けてなるのである（請求項４）。
【発明の効果】
【００１０】
以上にしてなる請求項１に係る発明の間仕切壁におけるドア装置は、天井と床面間に立設し、その間にパネル体と適所にドアとを装着する構造の簡易施工型の間仕切壁において、ドアの施工をパネル体の施工と同様に連続的に行うことができ、施工の効率化を図ることができるとともに、部品管理も簡単であり、更にドア枠とドアパネルをヒンジで連結し、両側縦ドア枠の下端間に下ドア枠を着脱可能に取付けて正面視四角形の枠体となした状態で取り扱うので、取り扱いが容易であるとともに、また前記ドアの表裏何れかの面を選択して取付けることができるので、ドアパネルを手前に引いて開放する態様や押して開放する態様に簡単に設定することができ、また任意の両支柱間に両側縦ドア枠をドア連結具にて着脱可能に取付けることができるので、施工性が格段に向上するとともに、既設のパネル体を取外してその空間にドアを取付けることもでき、更にドアを所定箇所に取付けた後、必要に応じて前記下ドア枠を取外せば、床面に障害物がないバリアーフリーを実現することができる。
【００１１】
請求項２によれば、ドアパネルを手前に引いて開放する場合にも、右開き態様と左開き態様を実現でき、またドアパネルを押して開放する場合にも右開き態様と左開き態様を実現でき、合計４通りの開閉態様全てを実現することができる。
【００１２】
請求項３によれば、前記ドアパネルのノブを上下中央部に設けることにより、前記縦ドア枠を上下反転しても常にドアパネルとの関係を同じに維持することができ、４通りの開閉態様で全ての部品を共通に使用することができ、コストパフォーマンスに優れている。
【００１３】
請求項４によれば、予め所定の間隔に立設した支柱間にドアを、若干上方から落としこむことで、下部支柱の下端に装着した下ドア連結具の本体部に縦ドア枠の下端を外嵌すると同時に、上ドア連結具の係合片を下部支柱の上端から連結溝に係合するだけで、簡単に取付けることができる。
【発明を実施するための最良の形態】
【００１４】
次に、添付図面に示した実施形態に基づき、本発明を更に詳細に説明する。図１は本発明に係るドア装置を用いた間仕切壁を示し、図２〜図８はドア装置の詳細を示し、図中符号１は支柱、２は下部支柱、３は上部支柱、４は天レール、５はパネル体、６は巾木、７は欄間パネル板、８はドア、９はドア枠、１０はドアパネル、１１は下ドア枠をそれぞれ示している。
【００１５】
本実施形態における間仕切壁は、予め天井Ｓに天レール４を取付けておき、支柱１を立起状態に手で保持しながら下部支柱２に対して上部支柱３を押上げて、該上部支柱３の上端部を前記天レール４に弾性的に係合させて立起状態を維持し、隣接する下部支柱２，２間にパネル体５を着脱可能に取付けるとともに、該パネル体５の下端に巾木６を取付け、それから隣接する上部支柱３，３間に欄間パネル板７を着脱可能に取付けたものである。更に、隣接する支柱１，１間に、ドア枠９にドアパネル１０を装着してドア８を構成するとともに、該ドア枠９の下端間に下ドア枠１１を着脱可能に取付けて正面視四角形の枠体を構成した状態で、隣接する支柱１，１間に前記ドア枠９を着脱可能に取付けたものである。尚、前記パネル体５及びドア８は、予め所定間隔で立設した支柱１，１の下部支柱２，２間に後で装着することも可能であるが、一方の支柱１を立設し、他方の支柱１を縮めた状態でパネル体５又はドア８の一側部に連結しておき、予め立設した支柱１の下部支柱２に前記パネル体５又はドア８の他側部を連結し、この作業を繰り返し行うことで側方へパネル体５を順次側設するとともに、適所にドア８を配置するようにすることが施工性の観点から好ましい。
【００１６】
前記支柱１は、中空の下部支柱２と該下部支柱２の上部に上下スライド可能に内嵌する上部支柱３とからなり、前記下部支柱２は、外形が四角形で少なくとも四隅角部１２，…は薄肉に設定するとともに、四隅角部１２内面は内部空間１３に連通した形状であり、前記上部支柱３は、前記下部支柱２の内部空間１３に嵌挿する主柱部１４と該主柱部１４から前記下部支柱２の四隅角部１２，…内面に密接する張出し縁部１５，…を延設した形状である。
【００１７】
更に、図２及び図３に示すように、前記支柱１は、前記上部支柱３の上端部の少なくとも一対の対向面側の外面に、前記天レール４の前後内壁面１６，１６に圧接して前記上部支柱３を保持可能、及び前記下部支柱２の上端に係止可能な合成樹脂製のブッシュ１７，…を突設している。更に、前記下部支柱２の内部空間に面する四辺面の内面中央部に沿って凹溝１８，…を形成するとともに、前記上部支柱３の主柱部１４の下部で四辺面の外面に前記凹溝１８内に上下スライド可能に係合するスライダー１９，…を突設している。
【００１８】
具体的には、前記下部支柱２は、アルミニウム製の型材であり、断面形状において四角形、好ましくは正方形の輪郭を有し、中央部に断面略正方形の内部空間を有し、薄肉に設定した四隅角部１２，…の内面は該内部空間に連通し、そして内部空間に面する四辺面の内面中央部に沿って凹溝１８，…を形成し、該凹溝１８を形成した部分の外面は前記四隅角部１２，…の外面と略面一となっている。更に、前記下部支柱２は、各外側面に沿った長手方向に２条の平行な連結溝２０，２０を形成し、両連結溝２０，２０の外側縁から側面に沿って内方へ係止縁２１，２１を形成した構造である。また、前記下部支柱２の下端には前記連結溝２０，…の端部を閉鎖するようにアジャスター２２の受具２３が嵌着されている。
【００１９】
また、前記上部支柱３は、アルミニウム製の型材であり、前記下部支柱２の内部形状に応じたものであり、前記下部支柱２の内部空間に嵌挿する中空の主柱部１４の四隅部から断面形状において放射状に矢印形の張出し縁部１５，…を延設した形状であり、隣接する張出し縁部１５，１５の中間部には、該張出し縁部１５の外面よりも内方へ凹んだ位置に座面をそれぞれ形成し、該座面に前記ブッシュ１７及びスライダー１９を突設し、前記ブッシュ１７は前記張出し縁部１５の外面よりも若干側方へ突出するように設定し、前記スライダー１９は前記張出し縁部１５の外面よりも突出せず、前記下部支柱２の凹溝１８内で摺動できるように突出高さを設定している。また、図１〜図３に示すように、前記上部支柱３の側面は、前記下部支柱２の連結溝２０，２０を設けた側面と、正面視において外観が近似するようにしている。
【００２０】
そして、正確な位置に前記支柱１を立設するには、先ず天井Ｓと床面Ｆに墨だしによって目印を付け、前記天レール４を天井Ｓにアンカーボルトで取付ける一方、図２及び図３に示すように、床面Ｆの所定位置に上方へ凹部を向けた断面略コ字形の固定金具２４をアンカーボルトで取付け、前記アジャスター２２のナット部を前記固定金具２４に載置した状態で、側方から下方へ凹部を向けた断面略コ字形の保持金具２５を前記固定金具２４に外嵌すると同時に、上面に形成したＵ字状切欠溝を前記アジャスター２２のボルト部に嵌合するのである。
【００２１】
次に、本発明に係るドア装置を図１〜図８に基づいて詳細に説明する。本発明に係るドア装置は、所定間隔で立設した支柱１，１間にパネル体５及び適所にドア８を装着してなる間仕切壁において、両側縦ドア枠２６，２６の上端間に上ドア枠２７を連結して正面視倒コ字形のドア枠９を形成し、該ドア枠９の内部にドアパネル１０を配設するとともに、該ドアパネル１０の一側部を対応する前記縦ドア枠２６にヒンジ２８，２８にて取付けてドア８を形成し、更に両側縦ドア枠２６の下端間に下ドア枠１１を着脱可能に取付けて正面視四角形の枠体となし、その状態で前記ドア８の表裏何れかの面を選択して任意の両支柱１，１間に両側縦ドア枠２６，２６をドア連結具２９，３０にて着脱可能に取付けた後、必要に応じて前記下ドア枠１１を取外してなるものである。
【００２２】
ここで、前記縦ドア枠２６は、アルミニウム製の型材であり、前後一側縁にドアパネル１０を当止する鍔部３１を有するとともに、上下対称形となし、上下反転して前記上ドア枠２７及び下ドア枠１１に連結可能となしている。更に、前記縦ドア枠２６は、中空杆体３２の前後一側縁に前記鍔部３１を形成するとともに、前記下部支柱２に面する側面に前記係止縁２１，２１に内嵌する突条３３，３３を形成し、前記中空杆体３２の内面側で上下端部の対称位置に通孔３４，３４をそれぞれ形成している。また、前記中空杆体３２の下部支柱２に面する側面の上下端部には切欠部３５，３５を上下対称に形成している。
【００２３】
また、前記上ドア枠２７は、中空杆体の両端部に正面視略倒Ｌ字型の上ドア連結具３０の水平部分である固定部３６を溶接して固定し、該杆体の端部から突出した垂直部分に前記縦ドア枠２６の中空杆体３２の上端部に挿入し、前記通孔３４，３４にドアパネル１０側から挿入したネジ３７，３７を螺合する連結板３８を有するとともに、該連結板３８の外側面に前記下部支柱２の連結溝２０，２０内に上方からスライド係合する係合片３９，３９を外向きに形成している。このように、前記上ドア連結具３０によって、両側縦ドア枠２６，２６の上端間に前記上ドア枠２７を連結し、正面視倒コ字形のドア枠９を形成している。
【００２４】
ここで、前記支柱１の下部支柱２は各外側面に沿った長手方向に２条の平行な連結溝２０，２０を形成し、前記パネル体５及びドア８の高さと略同じ高さで上端が開放されている。従って、前記上ドア連結具３０の係合片３９，３９を下部支柱２の上端から連結溝２０，２０内に落とし込み係合させることができる。
【００２５】
また、前記縦ドア枠２６は、下ドア連結具２９と上ドア連結具３０とで下部支柱２に連結される。前記下ドア連結具２９は、前記縦ドア枠２６の下端部に内嵌可能な本体部４０の両側縁に前記連結溝２０，２０に上下スライド可能に抜止め係合する係合片４１，４１を形成したものである。そして、前記下ドア連結具２９は、予め下部支柱２の下端に装着しておき、該下ドア連結具２９の本体部４０に縦ドア枠２６の下端を外嵌すると同時に、前記上ドア連結具３０の係合片３９，３９を下部支柱２の上端から前記連結溝２０，２０に係合して取付けるのである。ここで、前記下ドア連結具２９の本体部４０は、前記縦ドア枠２６の切欠部３５に嵌合した状態で、前記中空杆体３２の内方から通孔３４の通したネジ３７，３７を本体部４０に螺合して強固に固定するのである。
【００２６】
また、前記ドアパネル１０のノブ４２を上下中央部に設け、前記縦ドア枠２６を上下反転しても常にドアパネル１０との関係を同じに維持できるようにしている。
【００２７】
前記下ドア枠１１は、両縦ドア枠２６，２６の中空杆体３２，３２の下端に内嵌する嵌合部４３を両端に有し、ドア８を支柱１，１間に装着するまでは、前記嵌合部４３を両縦ドア枠２６，２６の下端に強固に内嵌して、前記ドア枠９とで剛性の高い四角形の枠体を構成し、前記ドアパネル１０といっしょに部品管理され、取り扱われる。そして、前記ドア８を支柱１，１間に取付けた後には、不要になるのでドアパネル１０を開放した状態で前記下ドア枠１１を踏み付ければ両縦ドア枠２６，２６の下端から抜けて取外すことができる。尚、前記下ドア枠１１の上下寸法を小さくし、前記ドア８を支柱１，１間に取付けた後に該下ドア枠１１が床面Ｆに密接するようにすれば、該下ドア枠１１を取外さなくても良いのである。
【００２８】
また、前記ドアパネル１０の一端面の上下部の対称位置に、ヒンジ２８，２８をそれぞれネジ４４，…にて連結するとともに、対面する前記縦ドア枠２６の内面側にもネジ４４，…にて連結する。この場合、前記縦ドア枠２６を上下反転させても前記ドアパネル１０を同様にヒンジ２８，２８を介して連結することができるように、ネジ孔は回転対称に設けている。また、前記縦ドア枠２６の鍔部３１には、緩衝材４５，…を取付けている。
【００２９】
このように構成したドア装置は、図８に示すように、４通りの開閉態様を実現することができる。つまり、図８（ａ）は、ドアパネル１０を手前に引いて開放する場合で右開き態様を示し、図８（ｂ）はドアパネル１０を押して開放する場合で右開き態様を示し、図８（ｃ）はドアパネル１０を手前に引いて開放する場合で左開き態様を示し、図８（ｄ）はドアパネル１０を押して開放する場合で左開き態様を示している。（ａ）と（ｄ）及び（ｂ）と（ｃ）はそれぞれドア８を表裏反転させて取付けたものであり、（ａ）と（ｂ）及び（ｃ）と（ｄ）はそれぞれ両縦ドア枠２６，２６を上下反転させて上ドア枠２７に取付けたものである。
【００３０】
次に、図９及ぶ図１０に基づいて、前記パネル体５を下部支柱２に連結するための構造について説明する。前記下部支柱２の一側面下部に下連結具４６を装着し、上部に上連結具４７を装着し、下連結具４６には上向き係合爪４８を有し、上連結具４７には下向き係合爪４９を有しており、前記パネル体５の下端には、前記下連結具４６の上向き係合爪４８を係合する開口部５０を形成するとともに、上端には前記上連結具４７の下向き係合爪４９を落し込み係合する係合孔５１とを形成し、前記パネル体５の開口部５０を前記下部支柱２に装着しておいた前記下連結具４６の上向き係合爪４８に上方から係合して載置した後、前記上連結具４７を前記下部支柱２の上端から係合させ下方へ移動させて下向き係合爪４９を上方の係合孔５１に係合して連結するのである。ここで、前記パネル体５は、上下端面及び両側端面の中央部に凹溝５２を形成してあり、前記開口部５０及び係合孔５１は前記凹溝５２の底面部に形成している。また、前記巾木６は、予めパネル体５の下方凹溝５２内に嵌合状態でネジ止めされている。
【００３１】
また、前記下連結具４６は、図９及び図１０に示すように、断面コ字形の縦長の本体部５３の両側縁に外向きに係合片５４，５４が折曲形成されており、この係合片５４，５４を含む両端縁部が前記下部支柱２の連結溝２０，２０内に上下スライド可能に係合し且つ両係止縁２１，２１で両係合片５４，５４が側方への抜け止めがなされ、前記本体部５３の上端からは上方へ延び且つ先端が外向きに曲がった前記上向き係合爪４８が延設されている。
【００３２】
そして、前記上連結具４７は、図９及び図１０に示すように、断面コ字形の縦長の本体部５５の両側縁に外向きに係合片５６，５６が折曲形成されており、この本体部５５と係合片５６，５６の断面形状は前記下連結具４６のものと同様であり、前記下部支柱２の連結溝２０，２０と係止縁２１，２１とで上下スライド可能且つ側方への抜け止めがなされ、また本体部５５の上端から外方へ延設した上板５７の両側縁には前記下向き係合爪４９，４９が一対形成されている。ここで、前記係合片５６，５６の上端は本体部５５よりも上方へ延設されており、また上板５７の先端には上方へ段状に突出した爪片５８が一体形成されている。従って、前記一対の下向き係合爪４９，４９に応じて、前記パネル体５には一対の長孔からなる係合孔５１，５１が形成されている。
【００３３】
そして、前記下部支柱２の上端から前記下連結具４６を両係合片５４，５４を連結溝２０，２０内にスライド係合し、下端のアジャスター２２の受具２３に当止した状態で、前記パネル体５の開口部５０内に下連結具４６の上向き係合爪４８を係合し、該パネル体５の側端面を下部支柱２の側面に密着した状態で、下部支柱２の上端から前記上連結具４７の両係合片５６，５６を連結溝２０，２０内にスライド係合し、一側部上部の係合孔５１，５１に下向き係合爪４９，４９を係合して連結する。ここで、前記下連結具４６の本体部５３及び上連結具４７の本体部５５は、パネル体５の側方凹溝５２内に収容された状態となる。尚、パネル体５と下部支柱２とを分解する場合には、前記上連結具４７を上方へ持ち上げるが、固く係合している場合には、前記爪片５８にドライバー等の工具の先端を引っ掛けて強制的に持ち上げて下部支柱２から外し、それからパネル体５を持ち上げて下連結具４６から外し、最後に下連結具４６を下部支柱２から上方へ抜くのである。このようなパネル体５の取付構造であるので、予め間仕切壁を施工後に、任意のパネル体５を取外すことが可能である。
【００３４】
最後に、本発明に係る間仕切壁の施工方法を図１１に基づいて簡単に説明する。先ず、（ａ）天井Ｓと床面Ｆに墨だしをする。次に、（ｂ）天井Ｓに天レール４を取付ける。（ｃ）コーナー部の位置又は壁面に近接する位置に支柱１を配し、上部支柱３を押上げて立起状態に保持する。（ｄ）一側部に支柱１を取付けたパネル体５の他側部を前記支柱１の下部支柱２に連結するとともに、上部支柱３を押上げて前記同様に天レール４で保持する。（ｅ）（ｄ）の作業を繰り返す。この際、パネル体５と同様にドア８にドア枠９を一体的に装着し且つ一側部に支柱１を取付けた該ドア枠９の他側部を前記支柱１の下部支柱２に連結する。（ｆ）これらを順次繰り返す。（ｇ）パネル体５及びドア枠９の上方空間に縦パッキン５９、横パッキン６０，６０を嵌着し、欄間パネル板７を保持する。（ｈ）完成状態である。
【００３５】
また、図１２は、両側縦ドア枠２６，２６の上端間に上ドア枠２７を連結してドア枠９を形成し、該ドア枠９の内部にドアパネル１０を配設するとともに、該ドアパネル１０の一側部を対応する前記縦ドア枠２６にヒンジ２８，２８にて取付けてドア８を形成し、更に両側縦ドア枠２６の下端間に下ドア枠１１を着脱可能に取付けた状態で、建物の構造壁Ｗに開口した出入口６１に適宜な取付手段にて装着することも可能である。
【図面の簡単な説明】
【００３６】
【図１】本発明を適用した間仕切壁の部分正面図である。
【図２】本発明に係るドア装置の要部斜視図である。
【図３】立起状態の支柱の側面図である。
【図４】ドアを支柱に取付ける様子を示す説明用正面図である。
【図５】同じく一部省略した拡大正面図である。
【図６】支柱間にドアを装着した状態の横断面図である。
【図７】同じく支柱間にドアを装着した状態の縦断面図である。
【図８】ドアの４通りの開閉態様を示す簡略説明用平面図である。
【図９】パネル体を支柱に取付ける構造を示す部分分解斜視図である。
【図１０】パネル体を支柱に取付けた状態の一部断面で示した部分正面図である。
【図１１】間仕切壁の施工方法の説明図である。
【図１２】構造壁に本発明に係るドア装置を装着する実施形態を示す簡略正面図である。
【符号の説明】
【００３７】
１  支柱            ２  下部支柱
３  上部支柱        ４  天レール
５  パネル体        ６  巾木
７  欄間パネル板    ８  ドア
９  ドア枠          １０  ドアパネル
１１  下ドア枠      １２  四隅角部
１３  内部空間      １４  主柱部
１５  張出し縁部    １６  内壁面
１７  ブッシュ      １８  凹溝
１９  スライダー    ２０  連結溝
２１  係止縁        ２２  アジャスター
２３  受具          ２４  固定金具
２５  保持金具      ２６  縦ドア枠
２７  上ドア枠      ２８  ヒンジ
２９  下ドア連結具  ３０  上ドア連結具
３１  鍔部          ３２  中空杆体
３３  突条          ３４  通孔
３５  切欠部        ３６  固定部
３７  ネジ          ３８  連結板
３９  係合片        ４０  本体部
４１  係合片        ４２  ノブ
４３  嵌合部        ４４  ネジ
４５  緩衝材        ４６  下連結具
４７  上連結具      ４８  上向き係合爪
４９  下向き係合爪  ５０    開口部
５１  係合孔        ５２  凹溝
５３  本体部        ５４  係合片
５５  本体部        ５６  係合片
５７  上板          ５８  爪片
５９  縦パッキン    ６０  横パッキン
６１  出入口        Ｆ  床面
Ｓ  天井            Ｗ  構造壁
【図１】
2005290878.tif 000003
【図２】
2005290878.tif 000004
【図３】
2005290878.tif 000005
【図４】
2005290878.tif 000006
【図５】
2005290878.tif 000007
【図６】
2005290878.tif 000008
【図７】
2005290878.tif 000009
【図８】
2005290878.tif 000010
【図９】
2005290878.tif 000011
【図１０】
2005290878.tif 000012
【図１１】
2005290878.tif 000013
【図１２】
2005290878.tif 000014